【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
２ミクロン未満の平均流路を有し、活性粒子配列からなる微孔性構造；並びに該微孔性構造の少なくとも一部に吸着された、中位ないし高い電荷密度と5000ダルトンより大きい分子量を有するカチオン性物質、および直接カチオン性物質に近接し、さらに該微孔性構造の少なくとも一部にある生物学的に活性な金属からなる微生物学的遮断強化剤からなる濾材。
【請求項２】
活性粒子は活性炭、活性アルミナ、ゼオライト、珪藻土、ケイ酸塩、アルミノケイ酸塩、チタン酸塩、骨炭、カルシウムヒドロキシアパタイト、酸化マンガン、酸化鉄、マグネシア、パーライト、タルク、ポリマー粒子、クレー、沃素化樹脂、イオン交換樹脂、セラミックスまたはこれらの組合せであり、さらに結合剤を含有する請求項１記載の濾材。
【請求項３】
微孔性構造は１ミクロン以下の平均流路を有する請求項１記載の濾材。
【請求項４】
微生物学的に強化された遮断剤は、微孔性構造の少なくとも一部をそれと会合したカウンターイオンを有するカチオン性物質で処理し、次にカチオン性物質と会合したカウンターイオンの少なくとも一部で生物学的に活性な金属を沈殿させることにより生成する請求項１記載の濾材。
【請求項５】
カチオン性物質は400,000ダルトン以上の分子量を有するジアリルジメチルアンモニウムクロライドのホモポリマーを含む請求項４記載の濾材。
【請求項６】
微孔性構造は活性粒子の固体複合ブロック、または固定化活性粒子の平板構造を有する請求項１記載の濾材。
【請求項７】
微孔性構造は活性粒子の押出、造型、スリップキャスティング、粉体塗装、湿式成形または乾式成形により成形される請求項１記載の濾材。
【請求項８】
流入液の濾材と接触する空床時間が１２秒未満である時、該濾材による流入液中の微生物学的汚染物の対数減少は６logより大きい請求項１記載の濾材。
【請求項９】
流入口および流出口を有するハウジング；並びに
流入口および流出口と流体で連絡する該ハウジング内に位置する濾材からなる濾過システムであって、該濾材は活性炭、活性アルミナ、ゼオライト、珪藻土、ケイ酸塩、アルミノケイ酸塩、チタン酸塩、骨炭、カルシウムヒドロキシアパタイト、酸化マンガン、酸化鉄、マグネシア、パーライト、タルク、ポリマー粒子、クレー、沃素化樹脂、イオン交換樹脂、セラミックスまたはこれらの組合せの活性粒子からなる２ミクロン未満の平均流路を有する微孔性構造；並びに
高い電荷密度、5000ダルトンより大きい分子量およびそれと会合したカウンターイオンを有し、さらに微孔性構造の少なくとも一部に吸着されたカチオン性物質からなり、生物学的に活性な金属がカチオン性物質と会合したカウンターイオンの少なくとも一部で沈殿する微生物学的遮断強化剤からなる濾過システムであって、
ハウジングを通って流れ、該濾材と接触する微生物学的に汚染された流入液は該ハウジングから流れる流出液中の微生物学的汚染物について少なくとも４logの対数減少を示す上記濾過システム。
【請求項１０】
微孔性構造の活性粒子は固体複合ブロック、または固定化活性粒子の平板構造である請求項９記載の濾過システム。
【請求項１１】
微孔性構造の活性粒子はスリップキャスト成形、湿式成形または乾式成形される請求項９記載の濾過システム。
【請求項１２】
０.１ミクロン〜5000ミクロンの平均粒度を有する活性粒子を用意し；
活性粒子を高い電荷密度および5000ダルトンより大きい分子量を有するカチオン性物質を生物学的に活性な金属と組合せた微生物学的遮断強化剤で処理し；そして
処理した活性粒子を２ミクロン未満の平均流路を有する微孔性構造に成形する工程からなる、強化された微生物学的遮断機能を有する濾材の製造法。
【請求項１３】
０.１ミクロン〜5000ミクロンの平均粒度を有する活性粒子を用意し；
活性粒子を２ミクロン未満の平均流路を有する微孔性構造に融合させ；そして
微孔性構造を高い電荷密度および5000ダルトンより大きい分子量を有するカチオン性物質を生物学的に活性な金属と組合せた微生物学的遮断強化剤で処理する工程からなる、強化された微生物学的遮断機能を有する濾材の製造法。
【請求項１４】
活性粒子を用意する工程は、活性炭、活性アルミナ、ゼオライト、珪藻土、ケイ酸塩、アルミノケイ酸塩、骨炭、カルシウムヒドロキシアパタイト、酸化マンガン、マグネシア、パーライト、タルク、ポリマー粒子、クレーまたはこれらの組合せを用意することからなり、さらに結合剤を加える工程を含む請求項１２または１３に記載の方法。
【請求項１５】
処理工程は、微孔性構造の少なくとも一部または活性粒子をそれと会合したカウンターイオンを有するカチオン性物質で被覆し；そして
生物学的に活性な金属の沈殿を微孔性構造の少なくとも一部または活性粒子上のカチオン性物質と会合したカウンターイオンの少なくとも一部で引き起こす工程からなる請求項１２または１３に記載の方法。
【請求項１６】
処理工程において、カチオン性物質はアミン、第四級アンモニウム塩、ベンザルコニウム化合物、ビグアニド、アミノシリコン化合物、そのポリマーおよびこれらの組合せからなる群より選択される、請求項１２または１３に記載の方法。
【請求項１７】
処理工程において、生物学的に活性な金属は銀、銅、亜鉛、カドミウム、水銀、アンチ
モン、金、アルミニウム、白金、パラジウムおよびこれらの組合せからなる群より選択される、請求項１２または１３に記載の方法。
【請求項１８】
活性粒子を微孔性構造に成形するまたは融合させる工程は押出、スリップキャスティング、または活性粒子を平板構造に固定化することを含む請求項１２または１３に記載の方法。
【請求項１９】
活性粒子からなり、２ミクロン未満の平均流路を有する微孔性構造；並びに該微孔性構造の少なくとも一部に吸着された、中位ないし高い電荷密度および5000ダルトンより大きい分子量を有するカチオン性物質を生物学的に活性な金属と組合せた微生物学的遮断強化剤を有する濾材を用意し；
微生物学的に汚染された流体を濾材と１２秒以下の時間接触させ；そして
微生物学的汚染物の対数減少が４logより大きい流出液を得る工程からなる微生物学的汚染物を流体から除去する方法。
【請求項２０】
濾材を用意する工程において、微孔性構造は活性炭を含む活性粒子からなる請求項１９記載の方法。
【手続補正２】
【補正対象書類名】明細書
【補正対象項目名】０００３
【補正方法】変更
【補正の内容】
【０００３】
最初の見地において、本発明は約２ミクロン未満の平均流路を有し、活性粒子配列からなる微孔性構造；並びに前記微孔性構造の少なくとも一部に吸着された、中位ないし高い電荷密度と約5000ダルトンより大きい分子量を有するカチオン性物質、および直接カチオン性物質に近接し、さらに前記微孔性構造の少なくとも一部にある生物学的に活性な金属からなる微生物学的遮断強化剤からなる濾材に関する。
【手続補正３】
【補正対象書類名】明細書
【補正対象項目名】０００７
【補正方法】変更
【補正の内容】
【０００７】
別の見地において、本発明は活性粒子からなり、約２ミクロン未満の平均流路を有する微孔性構造；並びに前記微孔性構造の少なくとも一部に吸着された、中位ないし高い電荷密度および約5000ダルトンより大きい分子量を有するカチオン性物質を生物学的に活性な金属と組合せた微生物学的遮断強化剤からなる濾材を用意し；
微生物学的に汚染された流体を濾材と約12秒以下の時間接触させ；そして
微生物学的汚染物の対数減少が約４logより大きい流出液を得る工程からなる微生物学
的汚染物を流体から除去する方法に関する。